(57)【要約】【課題】排水パイプによる排水機構を省略した簡単かつ経済的な構造のエキスパンションジョイントを提供する。【解決手段】一定幅のスリット３を挟んで対峙する床スラブ１，２の一方にスリット３の上方を覆う天板５の一端側を固定し、天板５の他端側を他方の床スラブ２にスライド自在に支持させ、天板５の下方には両端が左右の床スラブ１，２に対して固定された可撓性の止水シート６を配設したエキスパンションジョイントにおいて、前記止水シート６を中央部が常に床スラブ１，２上面よりも上方に位置する形状に保持することにより、天板５の下方に浸入した雨水や掃除用水等の浸入水を止水シート６で床スラブ１，２上面へと流下させるように構成する。【選択図】図２
2009144326.tif 000002
【特許請求の範囲】
【請求項１】
一定幅のスリットを挟んで対峙する左右の床スラブに対して固定された可撓性の止水シートを配設したエキスパンションジョイントにおいて、前記止水シートを中央部が常に床スラブ上面よりも上方に位置する形状に保持することにより、浸入水を止水シートで床スラブ上面へと流下させるように構成したことを特徴とするエキスパンションジョイント。
【請求項２】
請求項１に記載のエキスパンションジョイントであって、対峙する床スラブの一方にスリットの上方を覆う天板の一端側を固定し、天板の他端側を他方の床スラブにスライド自在に支持させるように構成したことを特徴とするエキスパンションジョイント。
【請求項３】
請求項１又は２に記載のエキスパンションジョイントであって、止水シートの下方に、止水シートを支持する弾性部材を設け、当該弾性部材により止水シートを中央部が常に床スラブ上面よりも上方に位置する形状に保持させるように構成したことを特徴とするエキスパンションジョイント。
【請求項４】
請求項１又は２に記載のエキスパンションジョイントであって、止水シートを弾性のある材料で作製し、止水シート自体の弾性により止水シートを中央部が常に床スラブ上面よりも上方に位置する形状に保持させるように構成したことを特徴とするエキスパンションジョイント。
【発明の詳細な説明】
【技術分野】
【０００１】
本発明は、例えば、大型商業施設の屋上駐車場等に適用されるエキスパンションジョイントに関し、詳しくは、一定幅のスリットを挟んで対峙する床スラブの一方にスリットの上方を覆う天板の一端側を固定し、天板の他端側を他方の床スラブにスライド自在に支持させ、天板の下方には両端が左右の床スラブに対して固定された可撓性の止水シートを配設したエキスパンションジョイントに関する。
【背景技術】
【０００２】
従来、この種のエキスパンションジョイントにおいては、特許文献１、２に見られるように、止水シートがスリット内に設けられていた。また、止水シートは中央部が垂れ下がった状態に設けられていた。そのため、天板の下方に浸入した雨水、掃除用水等の浸入水が止水シートの中央部に溜まり、これを排水パイプによって外部に排水するように構成されていた。換言すれば、従来のエキスパンションジョイントでは、天板と止水シート以外の構成部材として排水パイプが必要とされ、止水シートと排水パイプの接続作業や排水パイプの配管作業も必要とされた。
【０００３】
ところで、床スラブには排水勾配をつけた防水層が形成されているのが普通であり、エキスパンションジョイントの内側に浸入した雨水、掃除用水等の浸入水は止水シートから排水パイプを経て排水処理されるが、エキスパンションジョイントの内側に浸入しなかった雨水や掃除用水等は床スラブの防水層によって排水処理されるようになっている。
【０００４】
【特許文献１】特開平８−１２８１１７号公報
【特許文献２】特開２００２−２７６０３９号公報
【発明の開示】
【発明が解決しようとする課題】
【０００５】
上記の現状に鑑み、本発明は、排水パイプによる排水機構を省略した簡単かつ経済的な構造のエキスパンションジョイントを提供せんとするものである。
【課題を解決するための手段】
【０００６】
上記の目的を達成するために本発明が講じた技術的手段は、次のとおりである。即ち、請求項１に記載の発明によるエキスパンションジョイントは、一定幅のスリットを挟んで対峙する左右の床スラブに対して固定された可撓性の止水シートを配設したエキスパンションジョイントにおいて、前記止水シートを中央部が常に床スラブ上面よりも上方に位置する形状に保持することにより、浸入水を止水シートで床スラブ上面へと流下させるように構成したことを特徴としている。
【０００７】
請求項２に記載の発明によるエキスパンションジョイントは、請求項１に記載のエキスパンションジョイントであって、対峙する床スラブの一方にスリットの上方を覆う天板の一端側を固定し、天板の他端側を他方の床スラブにスライド自在に支持させるように構成したことを特徴としている。
【０００８】
請求項３に記載の発明によるエキスパンションジョイントは、請求項１又は２に記載のエキスパンションジョイントであって、止水シートの下方に、止水シートを支持する弾性部材を設け、当該弾性部材により止水シートを中央部が常に床スラブ上面よりも上方に位置する形状に保持させるように構成したことを特徴としている。弾性部材としては、弾性を有する金属（所謂バネ）、ゴム、弾性を有する樹脂等の他、例えば、前記金属の表面を
樹脂でコーティングしたり、ゴム又は樹脂で積層するなど、これらの幾つかの材料を組み合わせたものであってもよい。
【０００９】
請求項４に記載の発明によるエキスパンションジョイントは、請求項１又は２に記載のエキスパンションジョイントであって、止水シートを弾性のある材料で作製し、止水シート自体の弾性により止水シートを中央部が常に床スラブ上面よりも上方に位置する形状に保持させるように構成したことを特徴としている。
【発明の効果】
【００１０】
請求項１に記載の発明によれば、止水シートを中央部が常に床スラブ上面よりも上方に位置する形状に保持するので、雨水、掃除用水等の浸入水が止水シートの上に溜まらず、止水シートによって床スラブ上面へと流下案内され、床スラブの防水層によって排水処理されることになる。従って、排水パイプが不要となり、止水シートと排水パイプの接続作業や排水パイプの配管作業も省略されることになり、構造が簡単で経済的なエキスパンションジョイントを実現できる。
【００１１】
尚、自動車や歩行者の通行荷重が有るエキスパンションジョイントでは、請求項２に記載の発明のように、対峙する床スラブの一方にスリットの上方を覆う天板の一端側を固定し、天板の他端側を他方の床スラブにスライド自在に支持させるが、通行荷重の無いエキスパンションジョイントである場合には、天板を設けなくてもよい。
【００１２】
請求項３に記載の発明によれば、止水シートの下方に設けた弾性部材によって止水シートを中央部が常に床スラブ上面よりも上方に位置する形状に保持させるので、止水シートとしては平坦なもので足り、市販のゴムシートや樹脂シート等を止水シートとして用いることができる。
【００１３】
請求項４に記載の発明によれば、止水シートを弾性のある材料で成形し、止水シート自体の弾性により、止水シートを中央部が常に床スラブ上面よりも上方に位置する形状に保持させるので、止水シートの下にバネ等の弾性部材を設ける必要がなく、エキスパンションジョイントの構成部品点数が少なくて済む。
【発明を実施するための最良の形態】
【００１４】
以下、本発明の実施形態を図面に基づいて説明する。図１〜図３は、本発明に係るエキスパンションジョイントの一例を示す。図において、１，２は一定幅のスリット３を挟んで対峙する床スラブであり、表面には防水層４が形成されている。５はスリット３の上方を覆う天板であり、天板５の一端側は一方の床スラブ１に固定され、天板５の他端側は他方の床スラブ２にスライド自在に支持されている。天板５の下方には両端が左右の床スラブ１，２に対して固定された可撓性の止水シート６が配設されている。７は止水シート６の両端を床スラブ１，２に固定する後打ちアンカーである。
【００１５】
天板５は自動車の通行荷重に耐える強度の金属板（例えば、ステンレスのチェッカープレート等）によって作製されており、自動車の通行の障害にならないように緩やかな勾配に形成されている。８は一方の床スラブ１に埋設したアンカーボルト９とナット１０によってレベル調整可能な状態に支持された長尺物の鋼製支持枠であり、天板５をネジ１１止めしてある。１２は他方の床スラブ２に埋設したアンカーボルト１３とナット１４によってレベル調整可能な状態に支持された長尺物の鋼製支持枠であり、天板５の裏面をスライド自在に支持している。また、鋼製支持枠１２の先端は、天板５とその裏面に固着された挟持片１５との間にスライド自在に挿入されており、天板５の上方への跳ね上がりを挟持片１５によって防止するように構成されている。図示しないが、床スラブ１，２の防水層４と摺接する天板５の両端部下面には、低摩擦樹脂等による滑り材が付設されている。
【００１６】
止水シート６の下方には、止水シート６を支持する弾性部材（例えば、金属製や樹脂製の板バネ）１６が設けられており、当該弾性部材１６により止水シート６を中央部が常に床スラブ１，２上面（防水層４）よりも上方に位置する形状に保持させるように構成してある。
【００１７】
図示の弾性部材１６は、例えば、金属製や樹脂製の板バネであって、上方に凸に湾曲した曲面板部１６ａと、その両端から上方へ屈曲された垂直板部１６ｂ，１６ｂと、その上端から略直角に折り返された水平板部１６ｃ，１６ｃとで構成されている。そして、両側の水平板部１６ｃ，１６ｃを左右の床スラブ１，２の隅角部に埋設された山形鋼１７，１７にネジ１８，１８で固定してある。山形鋼１７に換えて後打ちアンカーにより、直接、床スラブに弾性部材１６を固定してもよい。また、弾性部材１６は止水シート６の全長と同程度の長尺物であってもよいが、図示の実施形態においては、弾性部材１６がピース物とされ、前記止水シート６の垂れ下がりを防止できる範囲でスリット３長手方向に間隔を隔てて設置されている。
【００１８】
上記の構成によれば、エキスパンションジョイントの挙動にかかわりなく止水シート６は中央部が常に床スラブ１，２上面（防水層４）よりも上方に位置する形状に保持されている。即ち、図３の（Ａ）に示すように、スリット３の幅が一定値Ｌに維持された床スラブ標準時において、止水シート６の中央部は左右の床スラブ１，２上面（防水層４）よりも上方に位置しており、更に、図３の（Ｂ）に示すように、スリット３の幅が最大値Ｌ１となった床スラブ最離間時においても、図３の（Ｃ）に示すように、スリット３の幅が最小値Ｌ２となった床スラブ最接近時においても、止水シート６の中央部は左右の床スラブ１，２上面（防水層４）よりも上方に位置している。
【００１９】
従って、天板５下方に雨水や掃除用水等が浸入しても、止水シート６の上に溜まらず、止水シート６によって床スラブ１，２上面へと流下案内され、床スラブ１，２の防水層４によって排水処理されることになる。
【００２０】
尚、スリット３近傍の床スラブ１，２上面は一般部の床スラブ１，２上面と同じ高さであってもよいが、アンカーボルト類の貫通部や止水シート接着部が継続的に水に接することを避けるために、当該部位を一般部の床スラブ１，２上面よりも１０ｍｍ程度高くすることが望ましい。また、図示した実施形態のように、床スラブ１，２の隅角部に山形鋼１７，１７を埋設すれば、スリット３の型枠工事の施工精度が向上するばかりでなく、後打ちアンカー７の打込みによる床スラブ隅角部のコンクリート割れを防止でき、弾性部材１６や防水層４の取付けも容易になる等の利点がある。また、上述した実施形態においては、天板５を金属板としているが、自動車の通行荷重ではなく、歩行者の通行に供する等の場合は、その頻度や荷重の程度を考慮することで、市販のゴムシートや樹脂板、樹脂シートで天板５を作製してもよい。通行荷重の無いエキスパンションジョイントである場合には、天板５を設けなくてもよいが、ボルト貫通部、シート接着部を直接雨かかりとしないためには、天板５を設けることが望ましい。
【００２１】
図４、図５は、本発明の他の実施形態を示す。この実施形態は、止水シート６をゴムや合成樹脂等の弾性のある材料で作製して、止水シート６自体の弾性により止水シート６を中央部が常に床スラブ１，２上面（防水層４）よりも上方に位置する形状に保持させるように、つまり、図５の（Ａ）に示すように、スリット３の幅が一定値Ｌに維持された床スラブ標準時において、止水シート６の中央部が左右の床スラブ１，２上面（防水層４）よりも上方に位置し、図５の（Ｂ）に示すように、スリット３の幅が最大値Ｌ１となった床スラブ最離間時においても、また、図５の（Ｃ）に示すように、スリット３の幅が最小値Ｌ２となった床スラブ最接近時においても、止水シート６の中央部が左右の床スラブ１，
２上面（防水層４）よりも上方に位置する形状に保持させるように構成した点に特徴がある。
【００２２】
尚、図示の実施形態においては、止水シート６が合成樹脂の押出し成形によって作製されており、上方に凸に湾曲した曲面板部６ａと、その両端から両側方へ延設された水平板部６ｂ，６ｂと、曲面板部６ａの両端から下方に延設された垂直板部６ｃ，６ｃとを有し、水平板部６ｂ，６ｂから曲面板部６ａにかけて補強用の板バネ６ｄ，６ｄを埋設してある。そして、水平板部６ｂ，６ｂと垂直板部６ｃ，６ｃの角部を床スラブ１，２の隅角部に当て付けて位置決めすると共に、両側の水平板部６ｂ，６ｂを床スラブ１，２に後打ちアンカー７，７で固定してある。
【００２３】
上記の構成によれば、止水シート６を弾性のある材料で成形し、止水シート６自体の弾性により、止水シート６を中央部が常に床スラブ１，２上面（防水層４）よりも上方に位置する形状に保持させるので、止水シート６の下に前述した弾性部材１６を設ける必要がなく、エキスパンションジョイントの構成部品点数が少なくて済む利点がある。その他の構成や作用は、先の実施形態と同じであるため、説明を省略する。
【００２４】
以上、本発明の実施形態を説明したが、本発明は上述した実施形態のみに限定されるものではなく、本発明の要旨を逸脱しない範囲において、種々の態様で実施し得ることは勿論である。例えば、本発明のエキスパンションジョイントは、床スラブに用いているが、屋上等で一定幅のスリットを挟んで対峙するパラペットのエキスパンション部天端においても実施できる。尚、自動車や歩行者の通行荷重が有るエキスパンションジョイントでは、請求項２に記載の発明のように、対峙する床スラブの一方にスリットの上方を覆う天板の一端側を固定し、天板の他端側を他方の床スラブにスライド自在に支持させるが、通行荷重の無いエキスパンションジョイントである場合には、天板を設けなくてもよい。
【図面の簡単な説明】
【００２５】
【図１】本発明の一実施形態を示すエキスパンションジョイントの斜視図である。
【図２】上記エキスパンションジョイントの縦断側面図である。
【図３】作用を説明する要部縦断側面である。
【図４】他の実施形態を示すエキスパンションジョイントの要部縦断側面である。
【図５】作用を説明する要部縦断側面である。
【符号の説明】
【００２６】
１  床スラブ
２  床スラブ
３  スリット
４  防水層
５  天板
６  止水シート
６ａ  曲面板部
６ｂ  水平板部
６ｃ  垂直板部
７  後打ちアンカー
８  鋼製支持枠
９  アンカーボルト
１０  ナット
１１  ネジ
１２  鋼製支持枠
１３  アンカーボルト
１４  ナット
１５  挟持片
１６  弾性部材（バネ）
１６ａ  曲面板部
１６ｂ  垂直板部
１６ｃ  水平板部
１７  山形鋼
１８  ネジ
Ｌ  一定値
Ｌ１  最大値
Ｌ２  最小値
【図１】
2009144326.tif 000003
【図２】
2009144326.tif 000004
【図３】
2009144326.tif 000005
【図４】
2009144326.tif 000006
【図５】
2009144326.tif 000007